(57)【特許請求の範囲】
【請求項１】
シリンジと、当該シリンジの貫通孔に摺動可能に保持されるピストンと、当該ピストンの引き出し及び押し込みを行うプランジャとを備え、当該プランジャの引き出しによって、シリンジとピストンとの間に形成された空間に内溶液を充填する一方、その押し込みによって、内溶液を注出可能な注射器であって、
プランジャを貫通させる通路を有してシリンジの貫通孔に配置可能なスリーブ部材を設け、
当該スリーブ部材の内周面に、プランジャに設けた突起部が内側から合わさって当該プランジャをスリーブ部材に対して引き出し可能に案内する溝部又は長孔部と、内溶液を充填するためのプランジャの引き出しにより当該溝部又は長孔部を乗り越えた前記突起部が引っ掛かってプランジャをスリーブ部材に対して固定保持する段部とを設ける一方、
シリンジの内周面に、スリーブ部材に設けた突起部が内側から合わさって当該スリーブ部材のシリンジに対する引き出しを阻止すると共に、当該シリンジに対してスリーブ部材を押し出し可能に案内する長孔部又は溝部と、内溶液を注出するためのプランジャの押し込みにより当該長孔部又は溝部を乗り越えた前記突起部が引っ掛かってスリーブ部材をシリンジに対して固定保持する段部とを設けたことを特徴とする使い切り注射器。
【請求項２】
請求項１において、スリーブ部材の内周面に設けた溝部又は長孔部に、プランジャに設けた前記突起部が乗り越え可能な斜面を設けたことを特徴とする使い切り注射器。
【請求項３】
請求項１又は２において、シリンジの内周面に設けた長孔部又は溝部と、スリーブ部材に設けた前記突起部とに、当該突起部が乗り越え可能な斜面を設けたことを特徴とする使い切り注射器。
【請求項４】
請求項１乃至３のいずれか１項において、スリーブ部材の内周面に設けた溝部又は長孔部及び段部と、当該スリーブ部材の外周面に設けた突起部とを周方向にずらして交互に配置すると共に、その相互間を分断する切り欠き部をスリーブ部材の後端から押し込み方向に向かって設けたことを特徴とする使い切り注射器。
【発明の詳細な説明】
【技術分野】
【０００１】
本発明は、使い切りを目的とした注射器に関するものである。
【背景技術】
【０００２】
注射器は、シリンジと、当該シリンジの貫通孔に摺動可能に保持されるピストン部材とを備え、当該ピストン部材の引き出し操作によって、シリンジとピストン部材との間に形成された空間に内溶液を充填する一方、その押し込み操作によって、内溶液を注出可能なものが一般的である（例えば、特許文献１参照）。
【先行技術文献】
【特許文献】
【０００３】
【特許文献１】特開平７−２１３６１２号公報
【発明の概要】
【発明が解決しようとする課題】
【０００４】
こうした注射器は、プランジャがシリンジに対して常に自由に可動できることから、一度使用したものであっても、殺菌・消毒処理を行うことで再利用も可能である。
【０００５】
しかしながら、用途によっては、使い切って再利用することなく、そのまま廃棄した方が良い場合も考えられる。
【０００６】
本発明の目的とするところは、煩雑な操作を要することなく、操作の容易な使い切りを目的とした、新規の注射器を提供することにある。
【課題を解決するための手段】
【０００７】
本発明は、シリンジと、当該シリンジの貫通孔に摺動可能に保持されるピストンと、当該ピストンの引き出し及び押し込みを行うプランジャとを備え、当該プランジャの引き出しによって、シリンジとピストンとの間に形成された空間に内溶液を充填する一方、その押し込みによって、内溶液を注出可能な注射器であって、
プランジャを貫通させる通路を有してシリンジの貫通孔に配置可能なスリーブ部材を設け、当該スリーブ部材の内周面に、プランジャに設けた突起部が内側から合わさって当該プランジャをスリーブ部材に対して引き出し可能に案内する溝部又は長孔部と、内溶液を充填するためのプランジャの引き出しにより当該溝部又は長孔部を乗り越えた前記突起部が引っ掛かってプランジャをスリーブ部材に対して固定保持する段部とを設ける一方、シリンジの内周面に、スリーブ部材に設けた突起部が内側から合わさって当該スリーブ部材のシリンジに対する引き出しを阻止すると共に、当該シリンジに対してスリーブ部材を押し出し可能に案内する長孔部又は溝部と、内溶液を注出するためのプランジャの押し込みにより当該長孔部又は溝部を乗り越えた前記突起部が引っ掛かってスリーブ部材をシリンジに対して固定保持する段部とを設けたことを特徴とするものである。
【０００８】
本発明では、スリーブ部材の内周面に設けた溝部又は長孔部に、プランジャに設けた前記突起部が乗り越え可能な斜面を設けることが好ましい。
【０００９】
本発明では、シリンジの内周面に設けた長孔部又は溝部と、スリーブ部材に設けた前記突起部とに、当該突起部が乗り越え可能な斜面を設けることが好ましい。
【００１０】
本発明では、スリーブ部材の内周面に設けた溝部又は長孔部及び段部と、当該スリーブ部材の外周面に設けた突起部とを周方向にずらして交互に配置すると共に、その相互間を分断する切り欠き部をスリーブ部材の後端から押し込み方向に向かって設けることが好ましい。
【発明の効果】
【００１１】
本発明では、ピストンは、スリーブ部材に設けた溝部又は長孔部に沿って引き出すことができ、その引き出しは、プランジャに設けた突起部がスリーブ部材に設けた段部に引っ掛かって固定保持されるまで可能になる。これにより、内溶液の吸引を常に一定のストローク量で行うことができる。
【００１２】
また、内容液を注出するときには、プランジャをスリーブ部材と共にシリンジに設けた長孔部又は溝部に沿って押し込むことができ、その押し込みは、スリーブ部材に設けた突起部がシリンジに設けた段部に引っ掛かって固定保持されるまで可能になる。これにより、内溶液を完全に注出できると共に、その注出の完了後は、プランジャがスリーブ部材を介してシリンジに固定保持されるため、プランジャを引き戻すことができない。
【００１３】
このように、本発明は、吸引に要する引き出しと、注出に要する押し込みを行うだけで、プランジャをシリンジに固定することができる。従って、本発明によれば、煩雑な操作を要することなく、操作の容易な使い切りを目的とした、新規の注射器を提供することができる。
【図面の簡単な説明】
【００１４】
【図１】本発明である、カートリッジ式注射器の一形態であって、(a)は、その使用前における状態を一側面から示す一部断面図であり、(b)は、その使用前における状態を他の側面から示す一部断面図である。
【図２】(a)は、同形態の吸引後における状態を一側面から示す一部断面図であり、(b)は、同状態を他の側面から示す一部断面図である。
【図３】(a)は、同形態の注出後における状態を一側面から示す一部断面図であり、(b)は、同状態を他の側面から示す一部断面図である。
【図４】同形態に係る、スリーブ部材の斜視図である。
【図５】同スリーブ部材であって、(a)は、上方から示す平面図、(b)は、側面から示す一部断面図、(c)は、下方から示す底面図である。
【図６】同スリーブ部材であって、(a)は、上方から示す平面図、(b)は、側面から示す一部断面図、(c)は、下方から示す底面図である。
【発明を実施するための形態】
【００１５】
以下、図面を参照して、本発明である、使い切り注射器の一形態を詳細に説明する。
【００１６】
図１中、符号１は、本発明の第１の形態である、使い切り注射器であり、符号２は、内容液が充填された合成樹脂製のシリンジである。シリンジ２は、外径の小さい先端部２ａと、この先端部２ａよりも外径の大きい首部２ｂと、この首部２ｂよりも外径の大きい胴部２ｃを有し、この胴部２ｃの外周面には、指掛け部２ｄが一体に設けられている。また、先端部２ａには、環状壁２ｅを介して先端部２ａを取り囲む筒体部２ｆが一体に設けられている。
【００１７】
また、シリンジ２には、その内側に、先端２ｅ1に形成された開口部Ａ1と後端２ｅ2に形成された開口部Ａ2とを通じさせる貫通孔３が形成されている。貫通孔３は、先端部２ａで取り囲まれた小径孔３ａと、首部２ｂで取り囲まれた中径孔３ｂと、胴部２ｃで取り囲まれた大径孔３ｃとを有する。
【００１８】
符号４は、シリンジ２の内容液を圧送する、合成樹脂製のピストンである。ピストン４は、棒状部材としてなり、小径孔３ａに摺動可能に保持されている。これにより、ピストン４は、図２に示すように、シリンジ２の先端部２ａとの間に形成された空間Ｒに、外部から内容液を充填することができる。
【００１９】
符号５は、ピストン４の下端に一体に設けたプランジャである。プランジャ５は、ピストン４を案内する案内部５ａを有する。案内部５ａは、ピストン４の下端に一体に設けられている。案内部５ａは、ピストン４を取り囲む、４枚の薄い板状部材５ａ1からなる十字断面形状のシャフト部で構成されており、２つの突起部５ｐが一体に設けられている。突起部５ｐは、軸線Ｏを挟んで互いに向かい合う板状部材５ａ1に設けられている。
【００２０】
また、案内部５ａは、その下端が、大径孔３ｃを通って開口部Ａ2から露出している。案内部５ａの下端には、プランジャ５の後端部５ｂが一体に設けられている。後端部５ｂは、フランジ部として形作られている。これにより、後端部５ｂの後端５ｃがピストン４を押し込むための押圧部として機能する一方、ピストン４の先端４ａが内容液を圧送する加圧面として機能する。
【００２１】
符号６は、シリンジ２の先端部２ａに装着可能な、合成樹脂製のニードルパーツである。ニードルパーツ６は、ニードル７とニードルホルダ８からなる。ニードルホルダ８は、その下端に開口部を有し、この開口部を通して外界に通じさせる凹部８ｎが形成されている。これにより、ニードルホルダ８は、シリンジ２の先端部２ａに嵌合保持させることができる。
【００２２】
更に、ニードルホルダ８には、シリンジ２の筒体部２ｆの内側に形成されたねじ部２ｓに螺合するフランジ部８ｓが設けられている。フランジ部８ｓは、ねじ部として機能している。これにより、ニードルホルダ８を筒体部２ｆに螺合させることで、図示のように、シリンジ２に対してニードルパーツ６を装着させることができる。
【００２３】
符号１０は、図１等に示すように、シリンジ２とプランジャ５との間に配置された合成樹脂製のスリーブ部材である。スリーブ部材１０の内径は、案内部５ａを貫通させる通路Ａ3を形成する形状をなし、その外径も、スリーブ部材１０をシリンジ２の貫通孔３に配置可能な形状をなしている。
【００２４】
また、図４に示すように、スリーブ部材１０の内周面１０ｆ1には、その上端１０ａから軸線Ｏに沿って延在する溝部１０ｃが設けられている。溝部１０ｃは、図５(a)及び図６(a)に示すように、軸線Ｏを挟んで対向する位置に配置されている。溝部１０ｃは、図１(a)等に示すように、プランジャ５に設けた突起部５ｐが内側から合わさって当該プランジャ５をスリーブ部材１０に対して引き出し可能に案内する。また、溝部１０ｃは、その突き当たり側に、後端１０ｂに向かうに従って内周面１０ｆ1に繋がる斜面１０ｄを有する。これにより、突起部５ｐは、溝部１０ｃを斜面１０ｄに沿って乗り越えることができる。
【００２５】
加えて、スリーブ部材１０の内周面１０ｆ1には、軸線Ｏに沿って溝部１０ｃと整列する位置に、図２(a)に示すように、溝部１０ｃを乗り越えた突起部５ｐが引っ掛かってプランジャ５をスリーブ部材１０に対して固定保持する段部１０ｓが設けられている。段部１０ｓは、スリーブ部材１０を貫通する貫通孔Ａ4によって形作られている。
【００２６】
加えて、スリーブ部材１０の外周面１０ｆ2には、図４に示すように、２つの突起部１０ｐが一体に設けられている。突起部１０ｐは、図５(a)及び図６(a)等に示すように、軸線Ｏを挟んで対向する位置に配置されている。突起部１０ｐは、図５(b)及び図６(b)に示すように、溝部１０ｃ（傾斜部１０ｄ）及び段部１０ｓに対して、周方向に交互にずらして配置する（例えば、本形態では、９０度）。
【００２７】
これに対し、シリンジ２（大径部２ｃ）には、軸線Ｏに沿って延在する長孔部Ａ5が設けられている。長孔部Ａ5は、図１(b)等に示すように、シリンジ２の内側から突起部１０ｐが合わさることで、シリンジ２に対してスリーブ部材１０を進退可能に案内する。
【００２８】
また、長孔部Ａ5の後端縁２１は、図１(b)に示すように、突起部１０ｐが接触することで、シリンジ２に対するスリーブ部材１０の引き出しを阻止する。これにより、スリーブ部材１０は、プランジャ５を用いて引き出そうとしても、シリンジ２に対して抜け止め保持される。
【００２９】
一方、長孔部Ａ5の先端縁２２は、図１(b)等に示すように、大径部２ｃの内周面２ｃ1側に、先端２ａに向かうに従って内周面２ｃ1に繋がる斜面２３を有する。加えて、突起部１０ｐも、先端１０ａに向かうに従って縮径する斜面１１を有する。これにより、突起部１０ｐは、長孔部Ａ5を斜面１１及び２３に沿って乗り越えることができる。
【００３０】
加えて、シリンジ２（大径部２ｃ）には、軸線Ｏに沿って長孔部Ａ5と整列する位置に、図３(b)に示すように、長孔部Ａ5を乗り越えた突起部１０ｐが引っ掛かってスリーブ部材１０をシリンジ２に対して固定保持する段部２４が設けられている。段部２４は、シリンジ２を貫通する貫通孔Ａ6によって形作られている。
【００３１】
次に、本形態に係る、使い切り注射器の操作について説明する。
【００３２】
本形態では、使用者は、ニードルパーツ６を筒体部２ｆにねじ込むことで、シリンジ２にニードル７を装着する。
【００３３】
次に、アンプルに充填された内容液を吸引する等、外部から内容液を吸引するときは、以下のような操作を行う。
【００３４】
先ず使用者は、図１に示す状態から、シリンジ２の後端開口部Ａ2からプランジャ５を引き出す。このとき、スリーブ部材１０は、図１(b)及び図２(b)に示すように、その突起部１０ｐが長孔部Ａ5の後端縁２１によって抜け止め保持されているため、シリンジ２に対してプランジャ５のみを溝部１０ｃに沿って、図１(a)から図２(a)に示すように、引き出すことができる。
【００３５】
このため、図１に示す状態から、ニードル７を内容液が充填されたアンプル等に挿し込んでプランジャ５を引き出せば、ピストン４も溝部１０ｃに沿って引き出されることで、充填空間Ｒには負圧が生じることから、この負圧によって、図２に示すように、内容液を充填空間Ｒ内に吸引することができる。
【００３６】
プランジャ５の引き出しは、その突起部５ｐが斜面１０ｄから溝部１０ｃを乗り越えて、図２(a)に示すように、段部１０ｓに引っ掛かって固定保持されるまで可能になる。これにより、内溶液の吸引を常に一定のストローク量で行うことができる。
【００３７】
プランジャ５の突起部５ｐがスリーブ部材１０の段部１０ｓに引っ掛かって固定保持されると、プランジャ５及びスリーブ部材１０は、図２(a)に示すように一体化する。
【００３８】
このため、実際に注入する段階では、使用者は、このまま状態でプランジャ５を押し込む。このとき、プランジャ５は、スリーブ部材１０と一体化しているため、プランジャ５を押し込めば、スリーブ部材１０と共にピストン４も長孔部Ａ5に沿って押し込まれることで、ニードル７を通して充填空間Ｒ内の内容液を外界に注出することができる。
【００３９】
プランジャ５の押し込みは、スリーブ部材１０の突起部１０ｐが斜面２３から長孔部Ａ5を乗り越えて、図３(b)に示すように、シリンジ２の段部２４に引っ掛かって固定保持されるまで可能になる。これにより、内溶液を完全に注出できると共に、その注出の完了後は、プランジャ５がスリーブ部材１０を介してシリンジ２に固定保持されるため、プランジャ５を引き戻すことができない。
【００４０】
即ち、本形態では、内容液の吸引は、プランジャ５をスリーブ部材１０に設けた溝部１０ｃに沿って引き出すことで可能となり、その引き出しは、プランジャ５に設けた突起部５ｐがスリーブ部材１０に設けた段部１０ｓに引っ掛かって固定保持されるまで可能になる。これにより、内溶液の吸引を常に一定のストローク量で行うことができる。
【００４１】
また、内容液を注出するときには、プランジャ５をスリーブ部材１０と共にシリンジ２に設けた長孔部Ａ5に沿って押し込むことで可能となり、その押し込みは、スリーブ部材１０に設けた突起部１０ｐがシリンジ２に設けた段部２４に引っ掛かって固定保持されるまで可能になる。これにより、空間Ｒに充填された内溶液を完全に注出できると共に、その注出の完了後は、プランジャ５がスリーブ部材１０を介してシリンジ２に固定保持されるため、プランジャ５を引き戻すことができない。
【００４２】
このように、本形態は、吸引に要する引き出しと、注出に要する押し込みを行うだけで、プランジャ５をシリンジ２に固定することができる。従って、本形態によれば、煩雑な操作を要することなく、操作の容易な使い切りを目的とした、新規の注射器１を提供することができる。
【００４３】
本形態では、プランジャ５を引き出すことで、突起部５ｐが溝部１０ｃを乗り越えた後、段部１０ｓに引っ掛かって嵌合保持されることで、或いは、プランジャ５を押し込むことで、突起部１０ｐが長孔部Ａ5を乗り越えた後、段部２４に引っ掛かって嵌合保持されることで、その衝撃や音がクリック感として使用者に体感できる。
【００４４】
また、本形態の如く、スリーブ部材１０の内周面１０ｆ1に設けた溝部１０ｃに、プランジャ５に設けた突起部５ｐが乗り越え可能な斜面１０ｄを設ければ、プランジャ５の引き出しが容易になることで、更に容易な操作によって、注射器１を使い切ることができる。
【００４５】
同様に、シリンジ２の内周面２ｃ1に設けた長孔部Ａ5と、スリーブ部材１０に設けた突起部１０ｐとに、当該突起部１０ｐが乗り越え可能な斜面２３及び１１を設ければ、プランジャ５の押し込みが容易になることで、更に容易な操作によって、注射器１を使い切ることができる。
【００４６】
使用後は、ニードルパーツ６を、軸線Ｏ周りに回してねじを緩めることで、シリンジ２から取り外すことができる。これにより、ニードルパーツ６を分別廃棄することができる。シリンジ２、ピストン４及びプランジャ５を廃棄するときには、筒体部２ｆにオーバーキャップ（図示省略）を装着する。これにより、ニードルパーツ６を取り外した注射器１を安全且つ衛生的に廃棄することができる。また、ニードルパーツ６については、従来と同様、ニードルホルダ８に別途オーバーキャップを装着すれば、安全且つ衛生的に分別廃棄することができる。
【００４７】
なお、シリンジ２、ピストン４及びプランジャ５は、プランジャ５にスリーブ部材１０の通路Ａ3を通して組み付けた後、このスリーブ部材１０を備えたプランジャ５をシリンジ２の後端２ｅ2の開口部Ａ2から挿入するだけの簡単な作業で、容易に組み立てることができる。
【００４８】
本形態では、スリーブ部材１０は、その内周面１０ｆ1に設けた溝部１０ｃ及び段部１０ｓと、その外周面１０ｆ2に設けた突起部１０ｐとを、図５及び図６に示すように、周方向にずらして交互に配置すると共に、その相互間を分断する切り欠き部１２をスリーブ部材１０の後端１０ｂから押し込み方向に向かって設けている。この場合、切り欠き部１２の相互間が弾性片としてなることで、プランジャ５をスリーブ部材１０に挿入したとき、その突起部５ｐを含む部分が弾性変形して、プランジャ５の押し込みを邪魔することなく、スリーブ部材１０の溝１０ｃに合せることができる。このため、プランジャ５とスリーブ部材１０との組み付け作業を容易に行うことができる。
【００４９】
また、プランジャ５を装着したスリーブ部材１０をシリンジ２に挿入したとき、その突起部１０ｐを含む部分が弾性変形して、スリーブ部材１０の押し込みを邪魔することなく、シリンジ２の長孔部Ａ5の後端縁２１に引っ掛かるため、スリーブ部材１０と共にプランジャ５を抜け止め保持できる。このため、シリンジ２と、スリーブ部材１０を備えるプランジャ５との組み付け作業も容易に行うことができる。
【００５０】
上述したところは、本発明の一形態を示したにすぎず、特許請求の範囲において、種々の変更を加えることができる。例えば、 スリーブ部材１０の溝部１０ｃは、長孔部に置き換えることができる。反対に、シリンジ２の長孔部Ａ5も溝部に置き換えることができる。また、段部１０ｓ及び２１も、開口部で形作られるものに限らず、溝（凹部）で形作られるものとすることもできる。即ち、本発明に従えば、各形態の構成要素は、各形態の相互間で転用することができる。更に、ニードルパーツ６は、ニードル７に代えて、パイプやノズルを採用することができる。
【産業上の利用可能性】
【００５１】
本発明は、シリンジと、当該シリンジの貫通孔に摺動可能に保持されるピストンと、当該ピストンの引き出し及び押し込みを行うプランジャとを備え、当該プランジャの引き出し操作によって、シリンジとピストンとの間に形成された空間に内溶液を充填する一方、その押し込み操作によって、内溶液を注出可能な注射器であれば、様々なものに適用することができる。また、内容液の種類についても、限定されない。
【符号の説明】
【００５２】
１      使い切り注射器
２      シリンジ
２ａ    先端部
２ｂ    首部
２ｃ    胴部
２ｄ    指掛け部
２ｅ    環状壁
２ｅ1   先端
２ｅ2   後端
２ｆ    筒体部
３      貫通孔
３ａ    小径孔
３ｂ    中径孔
３ｃ    大径孔
４      ピストン
４ａ    ピストン先端
５      プランジャ
５ａ    案内部
５ａ1   板状部材
５ｂ    後端部
５ｐ    突起部
６      ニードルパーツ
７      ニードル
８      ニードルホルダ
１０    スリーブ部材
１０ａ  スリーブ部材上端
１０ｂ  スリーブ部材後端
１０ｃ  溝部
１０ｄ  斜面
１０ｆ1 内周面
１０ｆ2 外周面
１０ｐ  突起部
１０ｓ  段部
１１    突起部斜面
２１    長孔部後端縁
２２    長孔部先端縁
２３    長孔部斜面
２４    段部
【図１】
0005749084.tif 000002
【図２】
0005749084.tif 000003
【図３】
0005749084.tif 000004
【図４】
0005749084.tif 000005
【図５】
0005749084.tif 000006
【図６】
0005749084.tif 000007